(57)【要約】【課題】ユーザが快適に画面を見ることができる表示方法を提供すること。【解決手段】テレビ（１００）は、当該テレビ（１００）の画面に対するユーザの位置を検出するユーザ位置検出部（３０５）と、上記検出されたユーザの位置に対向する上記画面上の位置を、画像の表示位置として算出する表示位置算出部（３０６）と、上記画像を、上記算出された位置に表示させる表示制御部（３０７）とを備える。【選択図】図３
2014082737.tif 000002
【特許請求の範囲】
【請求項１】
表示装置の画面に対するユーザの位置を検出する検出手段と、
上記検出されたユーザの位置に対向する上記画面上の位置を、画像の表示位置として算出する表示位置算出手段と、
上記画像を、上記算出された位置に表示させる表示制御手段とを備えることを特徴とする表示制御装置。
【請求項２】
上記ユーザの位置から上記画面までの距離を検出する距離検出手段と、
上記距離に応じて、上記画像の表示サイズを算出する表示サイズ算出手段とをさらに備え、
上記表示制御手段は、上記表示サイズ算出手段によって算出された上記表示サイズで、上記画像を上記算出された位置に表示させることを特徴とする請求項１に記載の表示制御装置。
【請求項３】
上記表示サイズ算出手段は、上記画像のジャンルに応じて、上記画像の表示サイズを算出することを特徴とする請求項２に記載の表示制御装置。
【請求項４】
上記表示サイズ算出手段は、上記画面の大きさに応じた表示サイズに、上記画像の表示サイズを算出することを特徴とする請求項２または３に記載の表示制御装置。
【請求項５】
上記表示位置算出手段は、上記画面の大きさに応じた高さ位置に、上記画像を表示する高さ位置を算出することを特徴とする請求項１〜４のいずれか一項に記載の表示制御装置。
【請求項６】
上記検出手段は、撮像手段によって撮像された画像であって、上記ユーザが写し出されている上記画面前方の画像に基づいて、上記ユーザの位置を検出することを特徴とする請求項１〜５のいずれか一項に記載の表示制御装置。
【請求項７】
上記ユーザが子供であるか否かを判定するユーザ判定手段をさらに備え、
上記ユーザ判定手段によって上記ユーザが子供であると判定された場合、上記表示サイズ算出手段は、子供用の表示サイズを算出することを特徴とする請求項２〜４のいずれか１項に記載の表示制御装置。
【請求項８】
上記ユーザ判定手段によって上記ユーザが子供であると判定された場合、上記表示位置算出手段は、子供用の高さ位置を算出することを特徴とする請求項７に記載の表示制御装置。
【請求項９】
請求項１〜８のいずれか一項に記載の表示制御装置を備えたことを特徴とするテレビジョン受像機。
【請求項１０】
表示装置の画面に対するユーザの位置を検出する検出工程と、
上記検出されたユーザの位置に対向する上記画面上の位置を、画像の表示位置として算出する表示位置算出工程と、
上記画像を、上記算出された位置に表示させる表示制御工程とを含むことを特徴とする表示制御方法。
【請求項１１】
請求項１〜８のいずれか１項に記載の表示制御装置を動作させるプログラムであって、コンピュータを上記の各手段として機能させるためのプログラム。
【請求項１２】
請求項１１に記載のプログラムを記録しているコンピュータ読み取り可能な記録媒体。
【発明の詳細な説明】
【技術分野】
【０００１】
本発明は、ユーザの位置に応じて、表示する画像の位置を変更することができる表示制御装置、テレビジョン受像機、表示制御方法、プログラム、および記録媒体に関する。
【背景技術】
【０００２】
近年、臨場感や迫力を楽しみたいとの要望から、表示装置の大画面化が進んでいる。このような大画面の表示装置において、様々なコンテンツを良好に視聴できるように、コンテンツごとに画質を調整する技術、およびユーザの視聴環境に応じて画質を調整する技術が考案されている。
【０００３】
例えば、下記特許文献１には、ユーザが画面サイズと、正面からの距離とを入力すると、表示装置のメニュー画像を最適なサイズに調整して表示する技術が開示されている。
【０００４】
また、特許文献２には、幕の映像を付加して、映画の開始時刻に合わせて幕を開き、終了時刻に合わせて幕を閉じるという技術が開示されている。
【０００５】
また、下記特許文献３には、コンテンツに応じて、自動的に輝度を制御する技術が開示されている。
【０００６】
また、下記特許文献４には、コンテンツに応じて、自動的に色度と輝度とを制御する技術が開示されている。
【０００７】
また、下記特許文献５には、ユーザが画像サイズを調整できる技術が開示されている。
【０００８】
また、下記特許文献６には、ユーザとの距離および放送番組のジャンルに応じて表示サイズが変わる技術が開示されている。
【０００９】
また、下記特許文献７には、ユーザとの距離に応じて画像サイズを調整し、画像サイズが小さければ、画面の特定の場所に画像を表示する技術が開示されている。
【先行技術文献】
【特許文献】
【００１０】
【特許文献１】特開２００５−２９５３３８号公報（２００５年１０月２０日公開）
【特許文献２】特開２００８−１９３２１４号公報（２００８年８月２１日公開）
【特許文献３】特開２００８−２４４８１８号公報（２００８年１０月９日公開）
【特許文献４】国際公開ＷＯ２００７／１１９２７７号公報（２００７年１０月２５日公開）
【特許文献５】特開２００７−１８９３６２号公報（２００７年７月２６日公開）
【特許文献６】特開２００６−２６１７８５号公報（２００６年９月２８日公開）
【特許文献７】特開２００６−２３５３０７号公報（２００６年９月７日公開）
【発明の概要】
【発明が解決しようとする課題】
【００１１】
しかしながら、上記特許文献１〜６の技術では、表示するコンテンツ、およびユーザの位置によって画像の明るさ、色、およびサイズは変更するが、画像の表示位置までは変更しない。また、上記特許文献７では、画像の表示位置も変更しているが、予め決まった位置に表示位置を変更するだけで、ユーザの位置を考慮するものではない。したがって、上記特許文献１〜７の技術では、ユーザにとって見難い表示位置に画像が表示される場合があり、ユーザが快適に画像を見ることができることができない。
【００１２】
本発明は、上記の問題点を鑑みてなされたものであり、その目的は、ユーザがより快適に画像を見ることができる表示方法を提供することにある。
【課題を解決するための手段】
【００１３】
上記の課題を解決するために、本発明の一態様に係る表示制御装置は、表示装置の画面に対するユーザの位置を検出する検出手段と、上記検出されたユーザの位置に対向する上記画面上の位置を、画像の表示位置として算出する表示位置算出手段と、上記画像を、上記算出された位置に表示させる表示制御手段とを備えることを特徴としている。
【発明の効果】
【００１４】
本発明の一態様によれば、ユーザの位置に応じて画像の表示位置を変えるので、ユーザの見易い位置に画像を表示することができ、したがって、ユーザがより快適に画像を見ることができるという効果を奏する。
【図面の簡単な説明】
【００１５】
【図１】本発明の実施形態１に係るテレビの外観を示す図である。
【図２】本発明の実施形態１に係るテレビ（本体）のハードウェア構成を示すブロック図である。
【図３】本発明の実施形態１に係るテレビの機能構成を示すブロック図である。
【図４】本発明の実施形態１に係るテレビによる画像表示処理の手順を示すフローチャートである。
【図５】本発明の実施形態１に係る、画像のジャンルによる表示サイズ変換テーブルの例である。
【図６】本発明の実施形態１に係る、視聴距離による表示サイズ変換テーブルの例である。
【図７】（ａ）は、本発明の実施形態１において画像サイズが画面いっぱいに表示されている画像の例であり、（ｂ）は、本発明の実施形態１において画像サイズを小さくされ、適切な位置に表示されている画像の例である。
【図８】本発明の実施形態１に係る、視聴距離による表示高さ変換テーブルの例である。
【図９】本発明の実施形態１において画像サイズを小さくされた画像が適切な高さに表示されている例である。
【図１０】本発明の実施形態２に係るテレビの機能構成を示すブロック図である。
【図１１】本発明の実施形態２に係るテレビによる画像表示処理の手順を示すフローチャートである。
【図１２】本発明の実施形態２に係る、画像のジャンルによる表示サイズ変換テーブルの例である。
【図１３】本発明の実施形態２に係る、視聴距離による表示サイズ変換テーブルの例である。
【図１４】本発明の実施形態２に係る、視聴距離による表示高さ変換テーブルの例である。
【発明を実施するための形態】
【００１６】
〔実施形態１〕
以下、本発明の実施形態１に係る表示制御装置について、図１〜図９を用いて説明する。
【００１７】
（テレビ１００の概要）
図１は、本発明の実施形態１に係るテレビの外観を示す図である。テレビ１００は、ユーザの位置を検出し、ユーザと対向する位置に画像を表示する表示制御装置（および表示装置、テレビジョン受像機）の一例である。
【００１８】
テレビ１００としては、液晶テレビ、プラズマテレビ、有機ＥＬテレビ、ブラウン管テレビ等が挙げられる。また、テレビ１００としては、例えばＨＤＤ（Hard disk drive）レコーダー内蔵テレビ、ＨＤＤプレーヤー内蔵テレビ、ＤＶＤ（Digital Versatile Disc）レコーダー内蔵テレビ、ＤＶＤプレーヤー内蔵テレビ、ＢＤ（Blu-ray Disc）レコーダー内蔵テレビ、ＢＤプレーヤー内蔵テレビ等が挙げられる。本実施形態では、テレビ１００として、液晶テレビを採用している。
【００１９】
図１に示すように、テレビ１００は、カメラ１０１、本体１０２、およびリモコン１０４を有する。また、テレビ１００は、入力装置として、リモコン１０４だけでなく、本体１０２の外面に設けられた操作ボタン１０６を有する。例えば、テレビ１００のユーザは、リモコン１０４または操作ボタン１０６を操作することによって、テレビ１００に対して、電源のＯＮ／ＯＦＦ、音量調整、入力切り替え、選局、録画、再生等の操作が可能である。カメラ１０１は、テレビ１００の画面前方の画像を撮影可能である。カメラ１０１によって撮像された画像は、例えば、テレビ１００において、ユーザ（視聴者）の位置を検出するために用いられる。本実施形態では、カメラ１０１として、テレビ１００に装着されているものを用いているが、テレビ１００に外部接続（例えば、ＵＳＢ接続）されたものであってもよい。
【００２０】
（テレビ１００のハードウェア構成）
図２は、本発明の実施形態１に係るテレビ１００（本体１０２）のハードウェア構成を示すブロック図である。テレビ１００は、図２に示すように、チューナ部１１０、ＲＯＭ（Read Only Memory）１１１、ＲＡＭ（Random Access Memory）１１２、メインＣＰＵ（Central Processing Unit）１１３、リモコン受光部１１４、通信制御部１１５、オーディオ出力変換部１１６、アンプ１１７、スピーカ１１８、ＥＰＧ（Electronic Program Guide）/ＯＳＤ（On-Screen Display）予約処理部１１９、ビデオ出力変換部１２０、ＬＣＤ（Liquid Crystal Display）コントローラ１２１、ＬＣＤ１２２、カメラ１０１（図１参照）、および操作ボタン１０６（図１参照）を備えている。図２においては、映像および音声信号の経路を実線によって、データや制御信号の経路（バス）を太線によって表している。
【００２１】
チューナ部１１０は、デジタル放送により放送される放送番組を受信するためのチューナである。チューナ部１１０は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００２２】
ＲＯＭ１１１は、メインＣＰＵ１１３によって実行されるプログラム等の固定データが格納される、読み出し可能かつ書き込み不能なメモリである。
【００２３】
ＲＡＭ１１２は、メインＣＰＵ１１３が演算のために参照するデータや、メインＣＰＵ１１３が演算によって生成したデータ等の可変データが格納される、読み出し可能かつ書き込み可能なメモリである。
【００２４】
メインＣＰＵ１１３は、テレビ１００に対して入力された制御信号に応じて、各部を制御する。テレビ１００に対して入力される制御信号としては、操作ボタン１０６によって入力された制御信号、リモコン１０４から送信され、リモコン受光部１１４が受信した制御信号、通信制御部１１５を介してネットワーク機器から送信された制御信号が挙げられる。
【００２５】
リモコン受光部１１４は、リモコン１０４から送信された信号を受信する。例えば、リモコン１０４は、赤外線の信号を送信し、リモコン受光部１１４は、その信号を受信し、電気信号に変換する。
【００２６】
通信制御部１１５は、テレビ１００をネットワークに接続する各種ネットワーク機器のインターフェースおよび通信を制御する。インターフェースとしては、ＬＡＮインターフェース等が挙げられる。
【００２７】
オーディオ出力変換部１１６は、音声信号に音量調整処理、および音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調等）を指す。オーディオ出力変換部１１６によって加工された音声信号は、アンプ１１７に供給される。なお、オーディオ出力変換部１１６によって音量および音質をどのように変更するかは、メインＣＰＵ１１３によって制御される。
【００２８】
アンプ１１７は、オーディオ出力変換部１１６から供給された音声信号に基づいて、その音声信号が表す音声を出力するようにスピーカ１１８を駆動する。
【００２９】
スピーカ１１８は、アンプ１１７から出力された音声信号を出力する。スピーカ１１８は、内蔵可能な小型スピーカなどを利用することができる。
【００３０】
ＥＰＧ／ＯＳＤ予約処理部１１９は、メインＣＰＵ１１３から供給されたＥＰＧ／ＯＳＤデータから、ＥＰＧ／ＯＳＤ画像を生成（レンダリング）する。ＥＰＧ／ＯＳＤ予約処理部１１９により生成されたＥＰＧ／ＯＳＤ画像は、チューナ部１１０から供給された映像信号に重畳され、ビデオ出力変換部１２０に供給される。
【００３１】
ビデオ出力変換部１２０は、入力された映像信号に画質調整処理を施す。また、ビデオ出力変換部１２０は、入力された映像信号にスケーリング処理を施す。ここで、画質調整処理とは、例えば、映像信号を加工することによって、その映像信号が表す映像の輝度、シャープネス、およびコントラストの少なくとも何れかを変更することを指す。また、スケーリング処理とは、映像信号を加工することによって、その映像信号が表す映像のサイズを相似拡大または相似縮小することを指す。ビデオ出力変換部１２０によって加工された映像信号は、ＬＣＤコントローラ１２１に供給される。なお、ビデオ出力変換部１２０が画質およびサイズをどのように変更するかは、メインＣＰＵ１１３によって制御される。
【００３２】
ＬＣＤコントローラ１２１は、ビデオ出力変換部１２０から供給された映像信号に基づいて、その映像信号が表す映像を表示するようにＬＣＤ１２２を駆動する。また、ＥＰＧ／ＯＳＤ予約処理部１１９からＥＰＧ／ＯＳＤ画像が供給されている場合、ＬＣＤコントローラ１２１は、ビデオ出力変換部１２０から供給された映像信号にＥＰＧ／ＯＳＤ画像が重畳されたものに基づいて、その映像信号が表す映像を表示するようにＬＣＤ１２２を駆動する。なお、本実施形態では、テレビ１００の一例として、液晶テレビを採用している。このため、テレビ１００は、ディスプレイとしてＬＣＤ１２２を採用しており、ディスプレイコントローラとして、ＬＣＤコントローラ１２１を採用しているのである。したがって、テレビ１００に液晶テレビ以外のテレビを採用した場合には、これに応じたディスプレイおよびディスプレイコントローラが採用されることとなる。
【００３３】
（テレビ１００の機能）
図３は、本発明の実施形態１に係るテレビ１００の機能構成を示すブロック図である。図３に示すように、テレビ１００は、画像情報取得部３０１、ユーザ距離検出部３０２、情報保存部３０３、表示サイズ算出部３０４、ユーザ位置検出部３０５、表示位置算出部３０６、および表示制御部３０７を備えている。ここでは、テレビ１００が備える表示制御機能およびこれに関連する機能について説明する。その他の機能については、テレビジョン受像機が備える一般的な機能であるため、図示および説明を省略する。
【００３４】
画像情報取得部３０１は、画像情報を取得する。画像情報とは、テレビ１００が表示する画像に関する情報のことである。本実施形態では、画像情報として少なくとも放送番組のジャンルを含んでいる。例えば、テレビ１００は、デジタル放送の放送波を受信する。この放送波には、番組放送（番組放送コンテンツ）と、その番組情報とが含まれている。そこで、画像情報取得部３０１は、受信した放送波に含まれる番組情報を抽出することにより、定期的に最新の番組情報を取得する。例えば、テレビ１００においては、図２に示したチューナ部１１０が、画像情報取得部３０１として機能する。
【００３５】
ユーザ距離検出部３０２は、ユーザ位置検出部３０５によって検出されたユーザの位置から、画面までの距離（以下、「視聴距離」と示す。）を検出する。例えば、ユーザ距離検出部３０２は、カメラ１０１によって撮影された画像におけるユーザの頭部を検出する。この検出には、従来から知られている画像認識技術を用いることができる。そして、ユーザ距離検出部３０２は、検出されたユーザの頭部の上記画像における大きさから、上記視聴距離を推測する。例えば、テレビ１００のメモリには、上記画像における頭部の大きさ毎に、視聴距離が設定されている。ユーザ距離検出部３０２は、この設定を参照することにより、検出されたユーザの頭部の上記画像における大きさから、上記視聴距離を推測することができる。
【００３６】
情報保存部３０３は、テレビ１００に関連する情報が保存されている。例えば、情報保存部３０３には、テレビ１００の画面サイズ、画像切り替え条件などが保存されている。また、情報保存部３０３には、画像のジャンルによる表示サイズテーブル、視聴距離による表示サイズ変換テーブル、視聴距離による表示高さ変換テーブルなどの各種テーブルが保存されている。例えば、テレビ１００においては、図２に示したＲＯＭ１１１、ＲＡＭ１１２が、情報保存部３０３として機能する。
【００３７】
表示サイズ算出部３０４は、画像情報取得部３０１が取得した画像情報（ジャンル）と、ユーザ距離検出部３０２が検出した視聴距離と、情報保存部３０３に保存されている当該テレビ１００の画面サイズとから、画面に表示する画像のサイズを算出する。例えば、テレビ１００においては、図２に示したメインＣＰＵ１１３が、表示サイズ算出部３０４として機能する。
【００３８】
ユーザ位置検出部３０５は、カメラ１０１によって撮像された画像（テレビ１００の画面前方の画像）に基づいて、テレビ１００の画面に対するユーザの位置（以下、「視聴位置」と示す。）を検出する。例えば、ユーザ位置検出部３０５は、カメラ１０１によって撮影された画像におけるユーザの頭部の位置（および大きさ）を検出する。この検出には、従来から知られている画像認識技術を用いることができる。そして、ユーザ位置検出部３０５は、検出されたユーザの頭部の上記画像における位置（および大きさ）から、上記視聴位置を特定する。例えば、テレビ１００のメモリには、上記画像における位置（および大きさ）毎に、視聴位置が設定されている。ユーザ位置検出部３０５は、この設定を参照することにより、検出されたユーザの頭部の上記画像における位置（および大きさ）から、上記視聴位置を特定することができる。
【００３９】
表示位置算出部３０６は、ユーザ距離検出部３０２が算出した視聴距離と、情報保存部３０３に保存されている当該テレビ１００の画面サイズと、ユーザ位置検出部３０５が検出した視聴位置とから、画像を表示する位置を算出する。具体的には、表示位置算出部３０６は、画面の横方向については、上記視聴位置と対向する位置を、画像の表示位置として算出する。一方、表示位置算出部３０６は、画面の縦方向については、当該テレビ１００の画面サイズおよび上記視聴距離に応じた位置（視聴距離による表示高さ変換テーブルに示されている）を、画像の表示位置として算出する。例えば、テレビ１００においては、図２に示したメインＣＰＵ１１３が、表示位置算出部３０６として機能する。
【００４０】
表示制御部３０７は、ＬＣＤ１２２に対し、表示対象の画像を、表示サイズ算出部３０４によって算出された表示サイズで、表示位置算出部３０６によって算出された表示位置（すなわち、視聴位置に対向する位置）に表示させる。例えば、テレビ１００においては、図２に示したビデオ出力変換部１２０、およびＬＣＤコントローラ１２１が、表示制御部３０７として機能する。
【００４１】
（テレビ１００の画像表示処理の手順）
図４は、本発明の実施形態１に係るテレビによる画像表示処理の手順を示すフローチャートである。テレビ１００の画像表示処理の手順について、図４を用いて説明する。
【００４２】
まず、テレビ１００は、当該テレビ１００において、予め定められた画像切り替え条件が満たされたか否かを判定する（ステップＳ１）。例えば、画像切り替え条件としては、放送番組のチャンネル変更がなされたか、時間経過（例えば、前回切り替えが行われてから所定時間経過したか）、リモコン１０４や操作ボタン１０６によるユーザから所定の切り替え操作がなされたか、などが考えられる。
【００４３】
ステップＳ１において、「条件が満たされた」と判定された場合（ステップＳ１：Ｙｅｓ）、画像情報取得部３０１は、画像情報を取得する（ステップＳ２）。一方、ステップＳ１において、「条件が満たされなかった」と判定された場合（ステップＳ２：Ｎｏ）、表示する画像の設定を変更する必要はないので、引き続き現在の設定で画像を表示する（ステップＳ７）。
【００４４】
ステップＳ２の後、ユーザ位置検出部３０５が、ユーザの位置を検出する（ステップＳ３）。そして、ユーザ位置検出部３０５が検出したユーザの位置から、ユーザ距離検出部３０２は、ユーザとテレビ１００の画面との距離を検出する（ステップＳ４）。さらに、表示サイズ算出部３０４は、画像情報取得部３０１が取得した画像情報（ジャンル）と、ユーザ距離検出部３０２が検出した視聴距離と、情報保存部３０３に保存されている当該テレビ１００の画面サイズとから、表示する画像のサイズを算出する（ステップＳ５）。
【００４５】
続いて、表示位置算出部３０６は、表示サイズ算出部３０４が算出した表示サイズが、画面いっぱいのサイズか否かを判定する（ステップＳ６）。ここでいう「画面いっぱいのサイズ」とは、すなわち、表示サイズ算出部３０４に算出された画像のサイズが、情報保存部３０３に保存されている当該テレビ１００の画面サイズ以上の場合を指す。
【００４６】
ステップＳ６において、「画面いっぱいのサイズである」と判定された場合（ステップＳ６：Ｙｅｓ）、表示位置は変更できないので、画面サイズと同じサイズの画像を表示する。（ステップＳ７）。
【００４７】
一方、ステップＳ６において、「画面いっぱいのサイズではない」と判定された場合（ステップＳ６：Ｎｏ）、表示位置算出部３０６は、ユーザ距離検出部３０２が算出した視聴距離と、ユーザ位置検出部３０５が検出した視聴位置と、情報保存部３０３に保存されている当該テレビ１００の画面サイズとから、画像を表示する位置を算出する（ステップＳ８）。そして、ステップＳ８で算出された位置にステップＳ５で算出されたサイズの画像を表示する（ステップＳ７）。
【００４８】
このような手順により、テレビ１００は、上記画像切り替え条件が満たされる毎に、表示する画像のサイズと位置とを決定し、そして、決定された位置へ、決定されたサイズの画像を表示するのである。例えば、テレビ１００は、比較的短い間隔（例えば、１秒間隔）で、上記手順による表示位置の変更処理を行うことで、リアルタイムに、表示位置を変更することができる。これにより、例えば、ユーザが画面の前で移動している場合であっても、これに追従して、ユーザと対向する表示位置に画像を表示し続けることができる。
【００４９】
（表示サイズ算出例１）
図５は、本発明の実施形態に係る、画像のジャンルによる表示サイズ変換テーブルの例である。ここでは、表示サイズ算出部３０４が、表示サイズを算出する例について、説明する。
【００５０】
図５のテーブルのジャンル列は画像のジャンルを表し、基本表示サイズ列は表示する画像のサイズの倍率を表している。例えば、画像のジャンルがニュースの場合、基本表示サイズは０．５なので、テレビ１００は、画像サイズ（縦方向のサイズおよび横方向のサイズの各々）を０．５倍にして、当該画像を表示する。一方、画像のジャンルが映画の場合、基本表示サイズは１．０なので、テレビ１００は画像サイズを１．０倍にして、当該画像を表示する。ここで、倍率が１．０倍のときは、表示すべきサイズは変わっていないので、テレビ１００は、画像を画面サイズと同じサイズで表示する。すなわち、表示サイズを算出する場合の倍率が１．０倍の画像のサイズというのは、上述した「画面いっぱいのサイズ」と同じ意味である。
【００５１】
このように、本発明の一実施形態であるテレビ１００は、ニュースやワイドショーのように、臨場感や迫力があると圧迫感を感じるジャンルの画像を表示する場合は表示サイズを小さくし、スポーツや映画のように、臨場感や迫力を楽しみたいジャンルの画像を表示する場合は表示サイズを大きくすることができる。
【００５２】
（表示サイズ算出例２）
図６は、本発明の実施形態１に係る、視聴距離による表示サイズ変換テーブルの例である。ここでは、表示サイズ算出部３０４が、表示サイズを算出するもう一つの例について、説明する。
【００５３】
図６のテーブルの視聴距離列はユーザと画面との距離を表し、４２インチ列、６０インチ列、１００インチ列は、それぞれの画面サイズのときに表示する画像のサイズ（縦方向のサイズおよび横方向のサイズの各々）の倍率を表している。例えば、ユーザが、６０インチの画面のテレビ１００を、画面から１ｍの距離の場所で視聴する場合、当該６０インチのテレビ１００は画像サイズを０．５倍で表示する。一方、ユーザが、６０インチの画面のテレビを、画面から３ｍの距離の場所で視聴する場合、当該６０インチのテレビ１００は画像サイズを１．０倍で表示する。
【００５４】
このように、本発明の一実施形態であるテレビ１００は、視聴距離が近い場合には小さい画像サイズを表示し、視聴距離が遠い場合には大きい画像サイズを表示することができる。また、画面のインチサイズごとに倍率を持たせることにより、画像サイズを単純な画面サイズに対する割合ではなく、絶対的なサイズを算出し、表示することができる。
【００５５】
（画像の表示例１）
図７（ａ）は、本発明の実施形態１において画像サイズが画面いっぱいに表示されている画像４００の例であり、（ｂ）は、本発明の実施形態１において画像サイズを小さくされ、適切な位置に表示されている画像４０１の例である。
【００５６】
図７（ａ）において、テレビ１００は映画の画像４００を表示している。映画の画像４００は臨場感や迫力をユーザは求めるため、テレビ１００は画面いっぱいに画像４００を表示している。この場合、ユーザの位置がどこであろうと、画像４００は画面いっぱいに表示される。
【００５７】
一方、図７（ｂ）において、テレビ１００はニュースの画像４０１を表示している。ニュースの画像４０１を画面いっぱいに表示すると、ユーザに圧迫感を与えるため、テレビ１００は画像４０１を小さくして表示している。そして、ユーザが見易いように、ユーザの位置に対向する画面位置に画像４０１の中心がくるよう、表示している。このとき、テレビ１００は、画像が表示されていない部分の少なくとも一部のバックライトを消灯またはその輝度を低減するように制御してもよく、これにより、消費電力の低減も可能となる。
【００５８】
（表示高さ算出例）
図８は、本発明の実施形態１に係る、視聴距離による表示高さ変換テーブルの例である。ここでは、表示位置算出部３０６が、表示位置を算出する例について、説明する。
【００５９】
図８のテーブルの視聴距離列はユーザと画面との距離を表し、４２インチ列、６０インチ列、１００インチ列は、それぞれの画面サイズのときに表示する画像の高さ位置の比率を表している。例えば、６０インチの画面のテレビを、画面から１ｍの距離の場所で視聴する場合、テレビ１００は、画像の中心を画面の上から７（画面の縦のサイズを１０として、上から７、以下同様）、下から３の位置に画像を表示する。一方、６０インチの画面のテレビを、画面から３ｍの距離の場所で視聴する場合、テレビ１００は、画像の中心を画面の上から５、下から５の位置に画像を表示する。
【００６０】
（画像の表示例２）
図９は、本発明の実施形態１において画像サイズを小さくされた画像４０１が適切な高さに表示されている例である。
【００６１】
図９において、テレビ１００は画面サイズ６０インチ、ユーザは視聴距離１ｍにおいてニュースの画像４０１を視聴している。ニュースの画像を画面いっぱいに表示すると、ユーザに圧迫感を与えるため、テレビ１００は画像４０１を小さくして表示している。そして、視聴距離が１ｍなので、テレビ１００は、画像４０１を画面の中心が上から７、下から３の位置に表示している。
【００６２】
このように、本発明の一実施形態であるテレビ１００は、視聴距離に応じた高さ位置に、画像を表示することができる。特に、視聴距離が近い場合にはより低い位置に画像を表示し、視聴距離が遠い場合にはより高い位置に画像を表示することができる。また、画面のインチサイズごとに比率を持たせることにより、画像の表示位置を単純な画面サイズに対する比率ではなく、絶対的な高さを算出し、表示することができる。
【００６３】
なお、図８のテーブルにおいて、複数の画面サイズが定義されている理由は、当該テーブル（または制御プログラム全体）が、画面サイズが異なる複数のテレビジョン受像機により、汎用的に利用することが可能となっているためである。例えば、当該テーブル（または制御プログラム全体）が、４０インチのテレビジョン受像機によって利用される場合は、４０インチ列の設定値が適用され、当該テーブル（または制御プログラム全体）が、６０インチのテレビジョン受像機によって利用される場合は、６０インチ列の設定値が適用されるといった具合である。
【００６４】
〔実施形態２〕
本発明の実施形態２について、図１０〜図１４に基づいて説明すれば、以下のとおりである。なお、説明の便宜上、前記実施形態にて説明した部材と同じ機能を有する部材については、同じ符号を付記し、その説明を省略する。
【００６５】
実施形態１においては、テレビ１００を視聴するユーザに関わらず、表示する画像のサイズおよび表示位置を決定していた。しかし、ユーザが子供であった場合、子供の目は発育段階にあるため、大人と同じ距離でテレビ１００を視聴すると、目への影響は大人より子供の方が大きいと考えられる。また、激しい動きのあるコンテンツを子供が視聴した場合、子供が体調を崩すこともある。そこで、実施形態２においては、このような問題を子供に生じさせることがないように、テレビ１００を視聴するユーザが子供であると判断した場合、表示する画像のサイズおよび表示位置を、子供にとって好適なサイズおよび表示位置に決定する。
【００６６】
（テレビ１００の機能）
図１０は、本発明の実施形態２に係るテレビ１００の機能構成を示すブロック図である。実施形態２（図１０）のテレビ１００は、さらにユーザ判定部３０８を備えている点で、実施形態１（図３）のテレビ１００と異なる。
【００６７】
ユーザ判定部３０８は、ユーザが子供であるか否かを判定する。判定する方法は、まず、予めテレビ１００を視聴する子供の顔の画像を情報保存部３０３に保存しておく。そして、ユーザ判定部３０８は、ユーザ位置検出部３０５が検出したユーザの位置にある顔の画像と、予め情報保存部３０３に保存した子供の顔の画像とを比較する。比較した画像が一致した場合、ユーザ判定部３０８は、ユーザが子供であると判定する。顔の画像の一致を判定する技術は、従来から知られている画像認識技術を用いることができる。
【００６８】
また、情報保存部３０３は、実施形態１において保存した情報に加え、上述した子供の顔の画像と、子供用の表示サイズテーブル、子供用の表示サイズ変換テーブル、子供用の表示高さ変換テーブルなどの子供用の各種テーブルが保存されている。これに伴い、実施形態１において保存した各種テーブルは、大人用のテーブルと称する。
【００６９】
（テレビ１００の画像表示処理の手順）
図１１は、本発明の実施形態２に係るテレビ１００による画像表示処理の手順を示すフローチャートである。テレビ１００の画像表示処理の手順について、図１１を用いて説明する。
【００７０】
まず、テレビ１００は、当該テレビ１００において、予め定められた画像切り替え条件が満たされたか否かを判定する（ステップＳ１）。
【００７１】
ステップＳ１において、「条件が満たされなかった」と判定された場合（ステップＳ２：Ｎｏ）、表示する画像の設定を変更する必要はないので、引き続き現在の設定で画像を表示する（ステップＳ７）。
【００７２】
一方、ステップＳ１において、「条件が満たされた」と判定された場合（ステップＳ１：Ｙｅｓ）、ユーザ判定部３０８は、ユーザは子供であるか否かを判定する（ステップＳ１０）。
【００７３】
ステップＳ１０において、「ユーザは子供である」と判定された場合（ステップＳ１０：Ｙｅｓ）、表示サイズ算出部３０４は、表示サイズを算出するために使用するテーブルに、子供用のテーブルを設定する。また、表示位置算出部３０６も同様に、使用するテーブルに子供用のテーブルを設定する（ステップＳ１１）。そして、図１１の処理は、ステップＳ２に進む。
【００７４】
一方、ステップＳ１０において、「ユーザは子供ではない」と判定された場合（ステップＳ１０：Ｎｏ）、表示サイズ算出部３０４は、表示サイズを算出するために使用するテーブルに、大人用のテーブルを設定する。また、表示位置算出部３０６も同様に、使用するテーブルに、大人用のテーブルを設定する（ステップＳ１２）。そして、図１１の処理は、ステップＳ２に進む。
【００７５】
ステップＳ２以降は、設定された子供用のテーブルまたは大人用のテーブルに基づいて、実施形態１と同様に、画像情報取得部３０１が取得した画像情報、ユーザ距離検出部３０２が検出したユーザとテレビ１００の画面との距離、および当該テレビ１００の画面サイズから、表示する画像のサイズを算出する。また、ユーザ距離検出部３０２が算出した視聴距離、ユーザ位置検出部３０５が検出した視聴位置、および当該テレビ１００の画面サイズから、画像を表示する位置を算出する。そして、算出した画面位置に、算出した画面サイズの画像を表示する。
【００７６】
このような手順により、本実施形態のテレビ１００は、視聴しているユーザが子供である場合は、子供用の画像サイズと画像位置とを決定し、決定された画像サイズと画像位置とに画像を表示することができる。これにより、本実施形態のテレビ１００は、視聴ユーザが子供である場合には、子供の目や体の負担を軽減する画像サイズおよび画像位置に、画像を表示することができる。
【００７７】
（子供用テーブルの例）
図１２は、本発明の実施形態２に係る、画像のジャンルによる表示サイズ変換テーブルの例である。子供用の画像ジャンルによる表示サイズ変換テーブルについて、説明する。
【００７８】
図１２を、実施形態１の画像ジャンルによる表示サイズ変換テーブルである図５と比較すると、図１２の表示サイズ変換テーブルは、ジャンルがスポーツまたは映画のときに、基本表示サイズが図５よりも小さくなっていることが分かる。これは、激しい動きの多いコンテンツであるスポーツや映画は、子供が大きな画面で視聴した場合、子供が体調を崩すことがあるからである。したがって、画像のジャンルがスポーツまたは映画のときは、画像のサイズを図５よりも小さくすることにより、子供の体の負担を軽減することができる。
【００７９】
図１３は、本発明の実施形態２に係る、視聴距離による表示サイズ変換テーブルの例である。子供用の視聴距離による表示サイズ変換テーブルについて、説明する。
【００８０】
図１３を、実施形態１の視聴距離による表示サイズ変換テーブルである図６と比較すると、図１３の表示サイズ変換テーブルは、視聴距離に対する画像サイズが全体的に図６よりも小さくなっていることが分かる。これは、子供の視野が大人よりも狭いために、子供の最適視聴距離が、大人の最適視聴距離に比べて長いからである。したがって、視聴距離に対する画像の大きさを、大人が視聴する場合より画像を小さくすることによって、子供の最適視聴距離に合わせることにより、子供の目の負担を軽減することができる。
【００８１】
図１４は、本発明の実施形態２に係る、視聴距離による表示高さ変換テーブルの例である。子供用の視聴距離による表示高さ変換テーブルについて、説明する。
【００８２】
図１４を、実施形態１の視聴距離による表示高さ変換テーブルである図８と比較すると、図１４の表示高さ変換テーブルは、視聴距離に対する画像の高さが全体的に図８よりも低くなっていることが分かる。これは、子供は背が低く、大人の高さに合わせて画像を表示した場合、見上げる姿勢となるからである。したがって、視聴距離に対する画像の表示高さ位置を、大人が視聴する場合より低くすることにより、子供の体の負担を軽減することができる。
【００８３】
〔まとめ〕
本発明の一態様に係る表示制御装置（テレビ１００）は、表示装置（テレビ１００）の画面（ＬＣＤ１２２）に対するユーザの位置を検出する検出手段（ユーザ位置検出部３０５）と、上記検出されたユーザの位置に対向する上記画面上の位置を、画像の表示位置として算出する表示位置算出手段（表示位置算出部３０６）と、上記画像を、上記算出された位置に表示させる表示制御手段（表示制御部３０７）とを備えることを特徴としている。
【００８４】
上記の構成によれば、ユーザの視聴位置に応じて画像の表示位置を変更するので、ユーザは快適に画像を視聴することができる。
【００８５】
さらに、本発明の一態様に係る表示制御装置は、上記ユーザの位置から上記画面までの距離を検出する距離検出手段と、上記距離に応じて、上記画像の表示サイズを算出する表示サイズ算出手段とをさらに備え、上記表示制御手段は、上記表示サイズ算出手段によって算出された上記表示サイズで、上記画像を上記算出された位置に表示させることを特徴としている。
【００８６】
上記の構成によれば、ユーザの視聴距離に応じて画像の表示サイズを変更するので、ユーザはより快適に画像を視聴することができる。
【００８７】
さらに、本発明の一態様に係る上記表示サイズ算出手段は、上記画像のジャンルに応じて、上記画像の表示サイズを算出することを特徴としている。
【００８８】
上記の構成によれば、ジャンルに応じて画像のサイズが変更するので、例えば、迫力を必要とする画像の場合はサイズが大きくなり、迫力が不要な画像の場合はサイズが小さくなるなど、その内容に応じた快適な画像をユーザに視聴させることができる。
【００８９】
さらに、本発明の一態様に係る上記表示サイズ算出手段は、上記画面の大きさに応じた表示サイズに、上記画像の表示サイズを算出することを特徴としている。
【００９０】
さらに、本発明の一態様に係る上記表示位置算出手段は、上記画面の大きさに応じた高さ位置に、上記画像を表示する高さ位置を算出することを特徴としている。
【００９１】
上記の構成によれば、表示装置の大きさに関わらず、快適な画像をユーザに視聴させることができる。
【００９２】
さらに、本発明の一態様に係る上記検出手段は、撮像手段によって撮像された画像であって、上記ユーザが写し出されている上記画面前方の画像に基づいて、上記ユーザの位置を検出することを特徴としている。
【００９３】
上記の構成によれば、対象物がユーザであるか否かを容易に特定することができるため、視聴位置の検出精度を高めることができる。
【００９４】
さらに、本発明の一態様に係る上記表示装置は、上記ユーザが子供であるか否かを判定するユーザ判定手段を備え、上記ユーザ判定手段によって上記ユーザが子供であると判定された場合、上記表示サイズ算出手段は、子供用の表示サイズを算出することを特徴としている。
【００９５】
上記の構成によれば、視聴しているユーザが子供である場合は、子供用の表示サイズで表示するため、子供の目の負担を軽減することができる。
【００９６】
さらに、本発明の一態様に係る表示位置算出手段は、上記ユーザ判定手段によって上記ユーザが子供であると判定された場合、子供用の高さを算出することを特徴としている。
【００９７】
上記の構成によれば、視聴しているユーザが子供である場合は、子供用の高さで表示するため、子供の体の負担を軽減することができる。
【００９８】
さらに、本発明の一態様に係るテレビジョン受像機は、上記のいずれかに記載の画像制御装置を備えたことを特徴としている。
【００９９】
さらに、本発明の一態様に係る表示制御方法は、表示装置の画面に対するユーザの位置を検出する検出工程と、上記検出されたユーザの位置に対向する上記画面上の位置を、画像の表示位置として算出する表示位置算出工程と、上記画像を、上記算出された位置に表示させる表示制御工程とを含むことを特徴としている。
【０１００】
上記テレビジョン受像機および上記表示制御方法によれば、上記表示制御装置と同様の効果を奏することができる。
【０１０１】
なお、上記表示制御装置は、コンピュータによって実現してもよい。この場合、コンピュータを上記各手段として動作させることにより上記表示制御装置をコンピュータにおいて実現するプログラム、およびそのプログラムを記録したコンピュータ読み取り可能な記録媒体も、本発明の範疇に入る。
【０１０２】
〔補足説明〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０３】
（表示位置について）
実施形態１のテレビ１００では、縦方向の表示位置を画面サイズに応じた位置としたが、ユーザの高さ位置に応じた位置（例えば、ユーザの頭部と対向する位置）を縦方向の表示位置としてもよい。
【０１０４】
（視聴位置および視聴距離の検出方法について）
実施形態１のテレビ１００では、カメラによって撮像された画像に基づいて、視聴位置および視聴距離を検出することとしたが、従来から知られている、これ以外の方法（例えば、位置センサー、距離センサーを用いる方法等）により、視聴位置および視聴距離を検出してもよい。
【０１０５】
（適用対象装置）
本実施形態では、本発明をテレビジョン受像機に適用する例を説明した。本発明は、少なくとも画像を表示することが可能な表示装置、または、このような表示装置による表示を当該表示装置の内部または外部から制御する各種表示制御装置に適用することができる。例えば、本発明は、プロジェクター装置、チューナ機器、各種レコーダー、各種プレーヤー、表示制御用のＩＣチップなどにも、適用することができる。
【０１０６】
〔ソフトウェアによる実現例〕
最後に、表示制御装置（テレビ１００）の各ブロックは、集積回路（ＩＣチップ）上に形成された論理回路によってハードウェア的に実現してもよいし、ＣＰＵ（Central Processing Unit）を用いてソフトウェア的に実現してもよい。
【０１０７】
後者の場合、表示制御装置は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである表示制御装置の制御プログラムのプログラムコード（実行形式プログラム、中間コードプログラム、ソースプログラム）をコンピュータで読み取り可能に記録した記録媒体を、上記表示制御装置に供給し、そのコンピュータ（またはＣＰＵやＭＰＵ）が記録媒体に記録されているプログラムコードを読み出し実行することによっても、達成可能である。
【０１０８】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１０９】
また、表示制御装置を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（NearField Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１１１】
本発明は、家庭用のテレビ、公共の場に設置されている大画面モニターなど、各種表示装置に適用することができる。
【符号の説明】
【０１１２】
１００  テレビ（表示制御装置、表示装置、テレビジョン受像機）
３０１  画像情報取得部
３０２  ユーザ距離検出部（距離検出手段）
３０３  情報保存部
３０４  表示サイズ算出部（表示サイズ算出手段）
３０５  ユーザ位置検出部（検出手段）
３０６  表示位置算出部（表示位置算出手段）
３０７  表示制御部（表示制御手段）
３０８  ユーザ判定部（ユーザ判定手段）
【図１】
2014082737.tif 000003
【図２】
2014082737.tif 000004
【図３】
2014082737.tif 000005
【図４】
2014082737.tif 000006
【図５】
2014082737.tif 000007
【図６】
2014082737.tif 000008
【図７】
2014082737.tif 000009
【図８】
2014082737.tif 000010
【図９】
2014082737.tif 000011
【図１０】
2014082737.tif 000012
【図１１】
2014082737.tif 000013
【図１２】
2014082737.tif 000014
【図１３】
2014082737.tif 000015
【図１４】
2014082737.tif 000016